(57)【要約】  本発明において、バイオリンのあご当てはバイオリンの共鳴箱の縁部に取付けられるが、バイオリンの共鳴箱の縁部に取付けられるあご当ての部分（図３、符号１２）がその内側から堅固な縁部（図２、符号１１、断面図Ａ−Ａ）をその中に配置することができる深さと形状を有する溝（図３、符号１４）を形成している。あご当て（図３、ａ．平面図及びｂ．側面図）の一部には、溝（図３、図１４）の上方であって距離「ｄ」（図３、符号「ｄ」）の位置に、弦を張るための弾性の結び目（図２、符号８）が挿通されることができる形状と大きさの開口部（図３、符号１５）が配置されている。弾性の結び目は緒止めに一ヶ所で取付けられるとともに、引張状態であご当ての開口部（図３、符号１５）に挿通される。その反対側終端は、あご当ての取付け部の一部（図５、符号１４）を構成するように固定エンドピン（図５、符号１０）に取付けられ、もってそれをバイオリンの側板（図５、符号４）の方向に押し付けている。これにより、あご当ては表板よりも所定の距離「ｄ」だけ上方に、かつ、緒止めよりも上方に位置する。【選択図】図３
2010508543.tif 000002
【特許請求の範囲】
【請求項１】
バイオリンのあご当てにおいて、
前記バイオリンの共鳴箱に取付けられるべく構成されており、前記あご当てのパネル（図３、符号１３）に続いていく部分（図３、符号１２）であって前記バイオリンの前記共鳴箱の縁部に取付けられる部分がその内側から堅固な前記縁部（図２、符号１１、断面図Ａ−Ａ）をその中に配置することができる深さと形状を有する溝（図３、符号１４）を形成し、
前記あご当て（図３、ａ．平面図及びｂ．側面図）の一部が前記溝（図３、符号１４）の上方であって距離「ｄ」（図３、符号「ｄ」）のところに位置するとともに、弦を張るために弾性の結び目（図２、符号８）が挿通されることができる形状と大きさの開口部（図３、符号１５）を有し、
前記弾性の結び目が緒止めに一ヶ所で取付けられるとともに、引張状態で前記あご当て（図３、符号１３）の前記開口部に挿通され、
その反対側終端において前記弾性の結び目が前記あご当ての取付け部の一部（図５、符号１４）を構成するように固定エンドピン（図５、符号１０）に取付けられ、もってそれを前記バイオリンの内部の一部位である木製の補強材（図５、符号９）に接している前記バイオリンの側板（図５、符号４）の方向に押し付け、
これにより、前記バイオリンの前記共鳴箱の表板に載ることなく、前記表板よりも所定の距離「ｄ」だけ上方に、かつ、前記緒止めよりも上方に位置する、
ことを特徴とするバイオリンのあご当て。
【請求項２】
前記バイオリンの前記共鳴箱への取付け部の一つの要素が演奏者の肩に載るバイオリンのアンダートレー（図６、符号１６）を形成することを特徴とする請求項１に記載のあご当て。
【発明の詳細な説明】
【技術分野】
【０００１】
１．技術分野
本発明は弦楽器特にバイオリン及びビオラのあご当てに関する。国際特許分類によれば、本発明が属する技術分野は「G10D3/18：楽器の部分としてのあご当て，手かけまたは保護具」である。
【背景技術】
【０００２】
２．技術的課題
広く知られているように、あご当ては、精妙な弦楽器であるバイオリンやビオラの一部として、演奏者が演奏中に弦楽器をより一層容易に保持できるよう役立てられるものである。初のバイオリンが創作されて以来この６００年間、あご当てをバイオリンの完全な一部とし、その性能と弦楽器へのその取付けが共鳴箱の共鳴の自律性及びその他全ての特質や特性を維持し、ひいてはバイオリンの音質を低下させないことを確保するよう、様々な努力が払われてきた。
【０００３】
弦楽器の共鳴箱の共鳴の自律性を維持することに加え、あご当てに求められる他の重要な事項は、その使用において実用的であること及び製作コストが安価であることである。
【０００４】
３．背景技術
バイオリンの主な要素が図１に示されている。これらはあご当て（符号１）、共鳴箱（符号３）及び緒止め（符号７）を含んでいる。
【０００５】
従来のあご当ては、弦楽器の表面であってバイオリンの本体に接触して配置されるという態様において、本質的な違いはない。
【０００６】
あご当てをバイオリンに取付けるための満足できる方策を案出するという上述の技術的課題の解決に向け、数多くのアプローチが存在する。
【０００７】
しかし、これら技術の現状を評価した結果、あご当てをバイオリンに取付けるための従来の方策のいずれもが究極の目標である弦楽器の共鳴箱の自律性を最大限までには達成しておらず、さらには、製作の合理性や実用的使用の基準も満たしていないと結論付けることができる。
【０００８】
特許文献にはこの技術的課題を解決すべく多くの努力が記載されている。
【０００９】
一つの解決手段が米国特許第６，６６７，４３０号に開示されている。この特許においては、あご当てはぴったりに形成された金属製具により弦楽器の共鳴箱に取付けられており、金属製具はあご当ての高さと角度を調整できるようになっている。この解決策はその製作面において構造が複雑であって高価であるだけでなく、使用面においても実用的ではない。しかし、その最も基本的な欠点は、金属製具が弦楽器の共鳴箱の表板及び裏板に直接接していることである。このことは弦楽器の音響学上の特質を変化させるものであり、そしてこの変化は金属製具と弦楽器の共鳴箱の壁との間に小さなパッドを挿入しても解消することはできない。
【００１０】
上記特許の欠点は、米国特許第４，５３４，２５９号によって開示された弾性素材を用いた解決手段によっても解消することはできない。
【００１１】
この意味において、確実な前進が独国特許第１９７１７３３８号に開示されている。すなわち、バイオリンの最下端に位置し、かつ、あご当ての全体の構造を支持するネジを使用することにより、従来の取付けの方策を回避している。しかし、一見して分かるように、この解決手段はその製作面においても弦楽器自体への取付けの態様面においても非常に複雑である。また、このあご当ての弦楽器への取付けは弦楽器の音質に影響を与えるものであり、すべての部品の組合せが極めて複雑である。
【先行技術文献】
【特許文献】
【００１２】
【特許文献１】米国特許第６，６６７，４３０号
【特許文献２】米国特許第４，５３４，２５９号
【特許文献３】独国特許第１９７１７３３８号
【特許文献４】特開２０００−２５９１４９号公報
【発明の概要】
【課題を解決するための手段】
【００１３】
４．発明の概要
本発明に係るあご当ての取付けの技術的解決手段の本質は、それが通常の金属製固定具を用いないこと、共鳴箱の各面に接触しないこと、及び弦楽器の音質特性に影響を与えないことにより達成されることにある。
【００１４】
本技術的解決手段の実施には、緒止め（図１及び２、符号７）の引張が緒止めと固定エンドピン（図２、符号１０）との間にあって張力を有する弾性の結び目（図２、符号８）により達成されるという事実を利用しており、これは日本の特開２０００−２５９１４９号に開示されているものである。ここに、固定エンドピンはバイオリンの下部に弦の方向に沿って設けられており、共鳴箱内に存在する木製の補強材（図２、符号９）に固定されている。
【００１５】
本発明に係るあご当ての技術的解決手段の実施には、また、バイオリンの側板（図１、符号４）とバイオリンの共鳴箱の表板及び表板の接触部が円形又は類似の断面を有する堅固な縁部（図２、符号１１、断面Ａ−Ａ）を形成しているという事実を利用している。
【００１６】
アナトミカルに製造される本あご当て（図３、ａ．平面図、ｂ．側面図）は、あご当てのパネル（図３、符号１３）に続いていく部分（図３、符号１２）であってバイオリンの共鳴箱の縁部に取付けられる部分がその内側から堅固な縁部（図２、符号１１、断面図Ａ−Ａ）をその中に配置することができる深さと形状を有する溝（図３、符号１４）を形成している。そして、このアナトミカルなあご当て（図３、ａ．平面図及びｂ．側面図）において、溝（図３、図１４）の上方であって距離「ｄ」（図３、符号「ｄ」）の位置に、弾性の結び目（図２、符号８）が挿通されることが可能な形状と大きさの開口部（図３、符号１５）が配置されている。
【００１７】
弾性の結び目から構成された弦引張具は緒止め（図１、符号７）に一ヶ所で取付けられるとともに、引張状態であご当ての開口部（図３、符号１５）に挿通される。弾性の結び目の反対側終端は、あご当ての取付け部の一部（図５、符号１４）を構成するように固定エンドピン（図５、符号１０）に取付けられ、もってそれをバイオリンの内部の一部位である木製の補強材（図５、符号９）に接しているバイオリンの側板（図５、符号４）の方向に押し付ける。これにより、あご当てはバイオリンの共鳴箱の表板に載ることなく、表板よりも所定の距離「ｄ」だけ上方に、かつ、緒止めよりも上方に位置することとなる。
【図面の簡単な説明】
【００１８】
５．各図に示す主要な要素
【図１】図１  符号１．あご当て、符号２．バイオリンの棹、符号３．共鳴箱、符号４．側板、符号５．駒、符号６．Ｆ字孔、符号７．緒止め
【図２】図２  符号８．弾性の弦引張具、符号９．バイオリンの内部の一部位である木製の補強材、符号１０．固定エンドピン、符号１１．バイオリンの側板と表板の間及び側板と裏板の間にある縁部
【図３】図３  符号１２．バイオリンの縁部に取り付けられるあご当ての部分、符号１３．あご当てのアナトミカル型パネル、符号１４．あご当ての取付け部にある溝、符号１５．あご当ての開口部、符号ｄ．バイオリンの表板からあご当てまでの距離
【図４】図４  符号１．あご当て、符号５．駒、符号７．緒止め、符号８．弾性の弦引張具、符号１０．固定エンドピン
【図５】図５  符号４．側板、符号７．緒止め、符号８．弾性の弦引張具、符号９．バイオリンの内部の一部位である木製の補強材、符号１０．固定エンドピン、符号１１．バイオリンの側板と表板の間及び側板と裏板の間にある縁部、符号１３．あご当てのアナトミカル型パネル、符号１４．あご当ての取付け部にある溝、符号１４ａ．あご当ての取付け部の一部、符号１５．あご当ての開口部、符号ｄ．バイオリンの表板からあご当てまでの距離
【図６】図６  符号４．側板、符号７．緒止め、符号８．弾性の弦引張具、符号９．バイオリンの内部の一部位である木製の補強材、符号１０．固定エンドピン、符号１１．バイオリンの側板と表板の間及び側板と裏板の間にある縁部、符号１３．あご当てのアナトミカル型パネル、符号１４．あご当ての取付け部にある溝、符号１４ａ．あご当ての取付け部の一部、符号１５．あご当ての開口部、符号ｄ．バイオリンの表板からあご当てまでの距離、符号１６．バイオリンのアンダートレー
【発明を実施するための形態】
【００１９】
６．発明を実施するための形態
本発明はあご当てのための解決手段を備えたバイオリンの特別な構成の方策を提供するものであり、その製作は通常の装置と基本的には木材である適切な素材を用いて実現可能なものである。
【００２０】
本発明に係るあご当ては、あご当てのパネル（図３、符号１３）に続いていく部分（図３、符号１２）であってバイオリンの共鳴箱の縁部に取付けられる部分がその内側から堅固な縁部（図２、符号１１、断面図Ａ−Ａ）をその中に配置することができる深さと形状を有する溝（図３、符号１４）を形成している。
【００２１】
このあご当て（図３、ａ．平面図及びｂ．側面図）において、溝（図３、図１４）の上方であって距離「ｄ」（図３、符号「ｄ」）の位置に、弦を張るために弾性の結び目（図２、符号８）が挿通されることが可能な形状と大きさの開口部（図３、符号１５）が設けられている。この弾性の結び目は緒止め（図１、符号７）に一ヶ所で取付けられるとともに、引張状態であご当ての開口部（図３、符号１５）に挿通される。弾性の結び目は、その反対側終端において、あご当ての取付け部の一部（図５、符号１４）を構成するように固定エンドピン（図５、符号１０）に取付けられ、もってそれをバイオリンの内部の一部位である木製の補強材（図５、符号９）に接しているバイオリンの側板（図５、符号４）の方向に押し付ける。これにより、あご当てはバイオリンの共鳴箱の表板に載ることなく、表板よりも所定の距離「ｄ」だけ上方に、かつ、緒止めよりも上方に位置することとなる。
【００２２】
さらに、バイオリンの共鳴箱へのあご当ての取付け部の一つの要素が演奏者の肩に載るバイオリンのアンダートレー（図６、符号１６）を形成するように構成することもできる。
【産業上の利用可能性】
【００２３】
７．産業上の利用可能性
本発明は、音楽器特にバイオリン及びビオラ並びにそれらの部品やアクセサリーの製造及び使用に応用できる。
【図１】
2010508543.tif 000003
【図２】
2010508543.tif 000004
【図３】
2010508543.tif 000005
【図４】
2010508543.tif 000006
【図５】
2010508543.tif 000007
【図６】
2010508543.tif 000008
【国際調査報告】
2010508543.tif 000009
2010508543.tif 000010